(57)【特許請求の範囲】
【請求項１】
無人で商品の受け渡しを行う無人商品受け渡し装置であって、
注文された商品を格納する格納部と、
前記格納した商品を取り出すために開閉するドア部と、
前記格納部を紫外線で照射してウイルスを殺菌する第１の照射部と、
前記格納した商品を受け取る受取者を認証する認証部と、
前記認証したドア部だけを解錠して、前記商品の取り出しを可能にする解錠部と、
を備え、
前記ドア部は、紫外線を透過しやすい材質であり、
前記第１の照射部は、前記ドア部の内側から外側まで紫外線を照射して、当該ドア部の前記受取者が触れる部分のウイルスを殺菌することを特徴とする無人商品受け渡し装置。
【請求項２】
前記認証部の付近に配置されており、前記認証部の内側から外側まで紫外線を照射して、当該認証部の前記受取者が触れる部分のウイルスを殺菌する第２の照射部、
を備えることを特徴とする請求項１に記載の無人商品受け渡し装置。
【請求項３】
認証した受取者のログを記録する記録部、
を備えることを特徴とする請求項１又は２に記載の無人商品受け渡し装置。
【請求項４】
前記格納部の内側の少なくとも一部が、紫外線を反射する材質であることを特徴とする請求項１〜３のいずれか一項に記載の無人商品受け渡し装置。
【請求項５】
前記第１の照射部は、前記格納部を紫外線で照射して格納された商品の臭いを消臭することを特徴とする請求項１〜４のいずれか一項に記載の無人商品受け渡し装置。
【請求項６】
前記格納部に格納された商品の臭いを消臭する消臭部、
を備えることを特徴とする請求項１〜４のいずれか一項に記載の無人商品受け渡し装置。
【発明の詳細な説明】
【技術分野】
【０００１】
本発明は、無人で商品の受け渡しを行う無人商品受け渡し装置に関し、更に具体的には、商品の受取者が触れる部分のウイルスの殺菌に関する技術である。
【背景技術】
【０００２】
新型コロナウイルス感染症（ＣＯＶＩＤ−１９）により、無人で、商品の受け渡しを行える装置が注目されている。
【０００３】
例えば、下記特許文献１には、ユーザを認証して、認証したユーザの購入情報をサーバーから受信して、収容部に収容するユーザが購入した商品をユーザに提供する技術が提供されている。具体的には、ユーザが商品を購入するための情報を入力する端末装置１０、３０と、端末装置１０、３０から受信したユーザの情報に基づいて購入処理を行い、ユーザの購入情報を記憶するサーバー２０と、商品を収容する収容部４５を有し、ユーザに収容した商品を提供する商品提供装置４０と、を備え、商品提供装置４０は、ユーザを認証する認証手段４１と、認証したユーザの購入情報をサーバ２０から受信する受信手段４２と、収容部４５に収容する商品であって、ユーザが購入した商品をユーザに提供する提供手段４１と、を備える商品提供システムが開示されている。
【０００４】
また、例えば、下記特許文献２には、購入者から受注した商品のパスワードを設定して購入者に通知して、入力されたパスワードが設定したパスワードと照合されると対応する納品庫を解錠する技術が提供されている。具体的には、ストッカシステム１１は、ストッカ４０及びストッカ管理装置３１を備える。販売管理装置２１は、購入者１４から受注した商品１７の注文番号１８（キー情報）を生成し、生成したキー情報に基づいて所定の生成ロジック２７により商品１７に対応付けられるパスワードを設定し、設定したパスワードを購入者へ通知する。ストッカ４０は、販売管理装置２１と同じロジックの生成ロジック５７に基づいて、商品１７を収容した納品庫４１を解錠するパスワードを設定する。そして、入力されたパスワードが、上記設定されたパスワードと照合されると、対応する納品庫４１を解錠することが開示されている。
【先行技術文献】
【特許文献】
【０００５】
【特許文献１】特開２０１９−６７０２９号公報
【特許文献２】特開２０２０−００４４５０号公報
【発明の概要】
【発明が解決しようとする課題】
【０００６】
新型コロナウイルス感染症（ＣＯＶＩＤ−１９）の感染拡大を防止するには、無人で商品を受け渡しを行うだけでなく、受取者が触れる部分のウイルスを殺菌（滅菌）することが重要となる。
【０００７】
しかしながら、前記特許文献１及び特許文献２の技術では、受取者が触れる部分のウイルスを殺菌することができない。
【０００８】
本発明は、以上の課題に鑑み、無人で商品の受け渡しを行い、かつ、受取者が触れる部分のウイルスを殺菌する装置を提供することを目的とする。
【課題を解決するための手段】
【０００９】
本発明は、無人で商品の受け渡しを行う無人商品受け渡し装置であって、注文された商品を格納する格納部と、前記格納した商品を取り出すために開閉するドア部と、前記格納部を紫外線で照射してウイルスを殺菌する第１の照射部と、前記格納した商品を受け取る受取者を認証する認証部と、前記認証したドア部だけを解錠して、前記商品の取り出しを可能にする解錠部と、を備え、前記ドア部は、紫外線を透過しやすい材質であり、前記第１の照射部は、前記ドア部の内側から外側まで紫外線を照射して、当該ドア部の前記受取者が触れる部分のウイルスを殺菌することを特徴とする無人商品受け渡し装置を提供する。
【００１０】
また、本発明は、前記認証部の付近に配置されており、前記認証部の内側から外側まで紫外線を照射して、当該認証部の前記受取者が触れる部分のウイルスを殺菌する第２の照射部、を備えることを特徴とする無人商品受け渡し装置を提供する。
【００１１】
更に、本発明は、認証した受取者のログを記録する記録部、を備えることを特徴とする無人商品受け渡し装置を提供する。
【００１２】
更に、本発明は、前記格納部の内側の少なくとも一部が、紫外線を反射する材質であることを特徴とする無人商品受け渡し装置を提供する。
【００１３】
更に、本発明は、前記第１の照射部は、前記格納部を紫外線で照射して格納された商品の臭いを消臭することを特徴とする無人商品受け渡し装置を提供する。
【００１４】
更に、本発明は、前記格納部に格納された商品の臭いを消臭する消臭部、を備えることを特徴とする無人商品受け渡し装置を提供する。
【発明の効果】
【００１５】
本発明の無人で商品の受け渡しを行う無人商品受け渡し装置は、注文された商品を格納する格納部と、前記格納した商品を取り出すために開閉するドア部と、前記格納部を紫外線で照射してウイルスを殺菌する第１の照射部と、前記格納した商品を受け取る受取者を認証する認証部と、前記認証したドア部だけを解錠して、前記商品の取り出しを可能にする解錠部と、を備え、前記ドア部は、紫外線を透過しやすい材質であり、前記第１の照射部は、前記ドア部の内側から外側まで紫外線を照射して、当該ドア部の前記受取者が触れる部分のウイルスを殺菌する。このため、無人で商品の受け渡しを行い、かつ、受取者が触れる部分のウイルスを殺菌することができる。
【図面の簡単な説明】
【００１６】
【図１】本発明の実施例１の商品受け渡し装置を示す正面図である。
【図２】前記実施例１の商品受け渡し装置のドア部の一つを開いた状態を示す正面図である。
【図３】前記実施例１の商品受け渡し装置の構成を示す分解斜視図である。
【図４】前記実施例１の認証部を示すであり、(A)は認証部の分解斜視図、(B)は認証部に設けられるタブレットの一例を示す図である。
【図５】前記実施例１の認証部を示す縦断面図である。
【図６】本発明の実施例１の商品受け渡し装置の認証部の他の例を示す図である。
【図７】本発明の実施例２の商品受け渡し装置を示す図であり、(A)は分解斜視図、(B)商品受け渡し装置の横断面図であり、かつ棚板を示す平面図である。
【発明を実施するための形態】
【００１７】
本発明は、無人で商品の受け渡しを行う無人商品受け渡し装置であって、注文された商品を格納する格納部と、前記格納した商品を取り出すために開閉するドア部と、前記格納部を紫外線で照射してウイルスを殺菌する第１の照射部と、前記格納した商品を受け取る受取者を認証する認証部と、前記認証したドア部だけを解錠して、前記商品の取り出しを可能にする解錠部と、を備え、前記ドア部は、紫外線を透過しやすい材質であり、前記第１の照射部は、前記ドア部の内側から外側まで紫外線を射して、当該ドア部の前記受取者が触れる部分のウイルスを殺菌できる装置である。これによって、無人で商品の受け渡しを行い、かつ、商品の受取者が触れる部分のウイルスを殺菌する。以下、本発明を実施するための最良の形態を、実施例に基づいて詳細に説明する。
【実施例１】
【００１８】
最初に、図１〜図６を参照して、本発明の実施例１を説明する。図１は、本実施例の無人商品受け渡し装置（以下「商品受け渡し装置」とする）を示す正面図であり、図２は、本実施例の商品受け渡し装置のドア部の一つを開いた状態を示す正面図である。図３は、本実施例の商品受け渡し装置の構成を示す分解斜視図である。
【００１９】
図１〜図３に示すように、本実施例の商品受け渡し装置１０は、一対の側面１８、２０と、背面２２と、正面２４と、上面２６と、底面４８からなる筐体１２の内側に、３つの格納部１４Ａ〜１４Ｃが設けられている。格納部１４Ａ〜１４Ｃは、注文された商品５０を格納するものである。商品５０の具体例としては、例えば、フードやドリンク、薬、家電品、おもちゃ、服などがあるが、これらに限定されるものではない。
【００２０】
前記格納部１４Ａ〜１４Ｃの正面２４側には、格納した商品５０を取りだすために開閉するドア部４０Ａ〜４０Ｃが設けられている。ドア部４０Ａ〜４０Ｃは、紫外線を透過しやすい材質で形成されている。例えば、透明アクリル板やガラスなどが用いられる。
【００２１】
また、ドア部４０Ａ〜４０Ｃの外側には、ドアを開くためのつまみ４４Ａ〜４４Ｃが設けられている。また、ドア部４０Ａ〜４０Ｃには、後述する認証部で認証したドア部だけを解錠して、商品５０の取り出しを可能にする解錠部４２Ａ〜４２Ｃが設けられている。更に、ドア部４０Ａ〜４０Ｃは、前記つまみ４４Ａ〜４４Ｃの上方に、金具４７Ａ〜４７Ｃが設けられており、当該金具４７Ａ〜４７Ｃに対応する位置であって、筐体１２の内側にはソレノイド４６Ａ〜４６Ｃが設けられている。
【００２２】
前記ソレノイド４６Ａ〜４６Ｃが解錠されると、解錠されたソレノイド４６Ａ〜４６Ｃのプッシュ部材（図示せず）が、ドア部４０Ａ〜４０Ｃの金具４７Ａ〜４７Ｃを押し、それに伴い、解錠部４２Ａ〜４２Ｃの蝶番が動き、ドア部４０Ａ〜４０Ｃを開くことができる。
【００２３】
このように、紫外線を透過しやすい材質でドア部４０Ａ〜４０Ｃを形成することにより、後述する第１の照射部３０〜３６から照射された紫外線が、ドア部４０Ａ〜４０Ｃの内側から外側まで達するため、ドア部４０Ａ〜４０Ｃのうち、商品５０の受取者が触れる部分（例えば、つまみ４４Ａ〜４４Ｃ）のウイルスを殺菌することができる。なお、受取者とは、例えば、商品の注文者や配達者などであるが、これに限定されない。
【００２４】
図３に示すように、本実施例の商品受け渡し装置１０の一対の側面１８、２０の内側の面はミラー板１８Ａ、２０Ａとなっている。また、天板２８も、一対の側面１８、２０と、背面２２と、正面２４によって構成される枠組みの上に取り付けるとき、装置内部を向く面がミラー板となっている。
【００２５】
更に、商品受け渡し装置１０の内部を３つの格納部１４Ａ〜１４Ｃに仕切るための棚板１６Ａ〜１６Ｃは、両面がミラー板となっている。このような棚板１６Ａ〜１６Ｃを、装置内部に適宜間隔で設置することで、３つの格納部１４Ａ〜１４Ｃが形成される。なお、た棚板１６Ｃの下方と、筐体１２の底面４８の間には空間が生じるが、この空間には、後述する認証部６０やソレノイド４６Ａ〜４６Ｃに通電するための電源や、必要に応じてクラウド等と接続する制御装置などを設けるようにしてもよい。
【００２６】
このとき、上段の格納部１４Ａは、側面のミラー板１８Ａ、２０Ａと、天板２８のミラー板と、棚板１６Ａのミラー板により、背面と正面以外の部分がミラーで囲まれることになる。中段の格納部１４Ｂは、側面のミラー板１８Ａ、２０Ａと、上方の棚板１６Ａのミラー板と、棚板１６Ｂのミラー板により、背面と正面以外の部分がミラーで囲まれる。同様に、下段の格納部１４Ｃは、側面のミラー板１８Ａ、２０Ａと、上方の棚板１６Ｂのミラー板と棚板１６Ｃのミラー板により、背面と正面以外の部分がミラーで囲まれる。
【００２７】
また、前記筐体１２の内側の４隅には、前記格納部１４Ａ〜１４Ｃを紫外線で照射してウイルスを殺菌するための第１の照射部３０〜３６が設けられている。第１の照射部３０は、例えば、図３に一部拡大して示すように、断面三角形の長尺な透明アクリル材によって形成されており、その一つの面が、ＬＥＤによって紫外線を照射する照射面３０Ａとなっている。同様に、第１の照射部３２には照射面３２Ａが、第１の照射部３４には照射面３４Ａが、第１の照射部３６には照射面３６Ａが設けられている。
【００２８】
このような第１の照射部３０〜３６は、図３に示すように、各照射面３０Ａ〜３６Ａが、格納部の中央を向くように配置される。前記照射面３０Ａ〜３６Ａを点灯して紫外線を照射すると、それぞれ中央に向けて配置された照射面３０Ａ〜３６Ａから紫外線が照射され、格納部１４Ａ〜１４Ｃに格納された商品５０を殺菌する。また、各格納部１４Ａ〜１４Ｃは、正面２４と背面２２を除いてミラー面で囲まれているため、紫外線が反射し、より殺菌の効果が高まる。なお、紫外線の照射により、格納された商品５０の臭いを消すこともできる。
【００２９】
更に、照射部３０Ａ〜３６Ｃから照射された紫外線は、紫外線を透過しやすい材料で形成されたドア部４０Ａ〜４０Ｃを透過し、ドア部４０Ａ〜４０Ｃの外側まで達するため、商品５０の受取者が触れる部分（例えば、つまみ４４Ａ〜４４Ｃなど）のウイルスを殺菌することができる。
【００３０】
次に、図４及び図５を参照して、認証部６０について説明する。図４(A)は、認証部の分解斜視図、図４(B)は認証部に設けられるタブレットの一例を示す図である。図５は、前記図４(A)の縦断面図である。
【００３１】
これらの図に示すように、認証部６０は、タブレット台６２と、タブレット９０と、カバー部１１０によって構成されている。前記タブレット台６２は、略三角形の一対の側面６８Ａ、６８Ｂと、これら一対の側面６８Ａ、６８Ｂに挟まれたタブレット９０を載せるための載置台７０と、筐体１２側に取り付けられる背面６４によって構成されている。前記背面６４の上方には開口部６６が設けられており、タブレット９０の端子に接続したケーブルなどが通される。
【００３２】
前記載置台７０の上方は、垂直方向に立ち上がった立ち上がり部７２を有し、更に、載置台７０と略平行になるように折り返し部７４が形成されている。前記折り返し部７４には、適宜間隔で複数（図示の例では３つ）のマグネット７６が設けられており、前記カバー部１１０と磁力によって着脱可能に接着する。
【００３３】
前記載置台７０の下方には、開口部７８が設けられている。当該開口部７８は、図４(B)に示すような位置に、タブレット９０のスピーカ９６Ａ、９６Ｂが設けられている場合に、放音を妨げないような放音孔の機能を有する。
【００３４】
更に、前記載置台７０は、前記開口部７８よりも下方が載置台７２に対してほぼ直角となる立ち上がり部８０となっており、更に、立ち上がり部８０の先端は、前記載置台７２に対して略平行になるように折り返し部８２が形成されている。前記折り返し部８２には、適宜間隔で複数（図示の例では３つ）のマグネット８４が設けられており、前記カバー部１１０と磁力によって着脱が可能となっている。
【００３５】
図４(B)に示すように、タブレット９０は、フレーム９２と、表示部９４と、スピーカ９６Ａ、９６Ｂと、複数の端子部９８Ａ〜９８Ｃと、図示しないカメラ等を備えている。このようなタブレット９０は、図４(A)に示すように前記載置台７２に載置され、端子部９８Ａ〜９８Ｃに接続されたケーブルが、筐体下部正面１０２に設けられた開口部１０４から筐体１２の内側に入り、そこに設けられた図示しない電源などに接続され、給電されている。なお、端子部９８Ａ〜９８Ｃは、給電以外を目的とするために使用される端子であってもよい。
【００３６】
前記載置台７０に載置されたタブレット９０は、例えば、図５に示すように接着剤１０２で所定の位置に固定される。
【００３７】
また、前記タブレット９０のフレーム９２の４辺には、それぞれ紫外線を照射するための照射部１００Ａ〜１００Ｄが配置されている。照射部１００Ａ、１００Ｂは、タブレット９０の短辺側に、当該短辺とほぼ同じ長さで配置されている。照射部１００Ｃは、タブレット９０の下側の長辺側に、当該長辺とほぼ同じ長さで配置されている。照射部１００Ｄは、タブレット９０の上側の長辺側の一部に配置されている。これら照射部１００Ａ〜１００Ｄは、図５に示すように、断面が略三角形であって、基本的な構造は、前記照射部３０〜３６と同様であるが、タブレット９０や載置台７２に接触しない面に、紫外線を照射するＬＥＤを備えた照射面が設けられている。
【００３８】
次に、カバー部１１０は、前記タブレット９０を載置したタブレット台６２を覆うものであって、中央には、前記タブレット９０の表示部９４が露出するための略長方形の開口部１１２が設けられている。また、前記開口部１１２の上部中央には、例えば、タブレット９０に設けられたカメラ（図示せず）を露出させるための凸状開口部１１４が形成されている。
【００３９】
また、前記カバー部１１０の下方は、本体に対して略直角になるように折り曲げられた折り曲げ部１１６となっており、図５に示すように、当該折り曲げ部１１６が、前記タブレット台６２の下方の立ち上がり部８０を覆う。このようなカバー部１１０は、例えば、金属プレートにより形成されており、前記マグネット７６、８４と磁力によって着脱可能となっている。
【００４０】
以上のようなカバー部１１０を取り付けた状態では、図５に示すように、照射部１００Ｃの照射面に近接して立ち上がり部７２、折り返し部７４、カバー部１１０の開口部１１２の縁部等があるため、照射部１００Ｃから照射された紫外線は、これらの近接する部材によって反射され、タブレット９０を殺菌する。同様に、照射部１００Ｄの照射面に近接して、立ち上がり部８０、折り返し部８２、カバー部１１０の開口部１１２の縁部等があるため、照射部１００Ｄから照射された紫外線は、これらの近接する部材によって反射され、タブレット９０を殺菌する。
【００４１】
同様に、照射部１００Ａは、照射面に近接してタブレット台６２の側面６８Ａ、カバー部１１０の開口部１１２の縁部等があるため、照射部１００Ａから照射された紫外線は、これらの近接する部材によって反射され、タブレット９０を殺菌する。同様に、照射部１００Ｂは、照射面に近接してタブレット台６２の側面６８Ｂ、カバー部１１０の開口部１１２の縁部等があるため、照射部１００Ｂから照射された紫外線は、これらの近接する部材によって反射され、タブレット９０を殺菌する。このように、タブレット９０の周囲の四方から紫外線を照射することにより、商品５０の受取者がタブレット９０に触れる部分のウイルスを殺菌する。
【００４２】
以上のような認証部６０による認証は、例えば、図１に示すように、受取者のスマートフォン１２０の表示部１２２に、認証用のＱＲコード１２４を表示させ、当該ＱＲコード１２４を、商品受け渡し装置１０の認証部６０のタブレット９０で読み取り、認証が成立すれば、該当するドア部４０Ａ〜４０Ｃの解錠部４２Ａ〜４２Ｃを解錠して、ドア部４０Ａ〜４０Ｃを開ける。図２には、受取者が受け取る商品５０が格納部１４Ｂに収納されている場合であって、上述した方法で認証が成立した場合に、格納部１４Ｂのドア部４０Ｂが開く様子を示している。
【００４３】
あるいは、図６に示す商品受け渡し装置１０Ａのように、認証部６０Ａの表示部９４に固定のＱＲコード１２４を表示させるか、カバー部１１０に固定のＱＲコード１２４を貼る。そして、受取者が、自身のスマートフォン１２０で前記ＱＲコード１２４を読み取ると、注文情報（どの格納部に注文商品がはいっているか）を参照して、該当する格納部１４Ａ〜１４Ｃを解錠する。この場合は、ＱＲコード１２４の読み取りが、受取者が到着したことを示す役目を果たす。
【００４４】
あるいは、上記いずれかの認証方法において、タブレット９０の表示部９４に４桁の暗証番号を入力するような方法を組み合わせるようにしてもよい。
【００４５】
いずれの認証の仕方であっても、格納部１４Ａ〜１４Ｃに格納された商品５０に紫外線を照射してウイルスを殺菌すること、商品５０の受取者が触れる部分、すなわち、ドア部４０Ａ〜４０Ｃのつまみ４４Ａ〜４４Ｃや、認証部６０の表示部９４にも紫外線が照射されてウイルスが殺菌される。
【００４６】
＜効果＞・・・本実施例１の無人で商品の受け渡しを行う無人商品受け渡し装置１０では、注文された商品５０を格納する格納部１４Ａ〜１４Ｃと、前記格納した商品５０を取り出すために開閉するドア部４０Ａ〜４０Ｃと、前記格納部１４Ａ〜１４Ｃを紫外線で照射してウイルスを殺菌する第１の照射部３０〜３６と、前記格納した商品５０を受け取る受取者を認証する認証部６０と、前記認証したドア部４０Ａ〜４０Ｃだけを解錠して、前記商品の取り出しを可能にする解錠部４２Ａ〜４２Ｃを備える。そして、前記ドア部４０Ａ〜４０Ｃを、紫外線を透過しやすい材質とすることで、前記第１の照射部３０〜３６は、格納部１４Ａ〜１４Ｃの内部のみならず、ドア部４０Ａ〜４０Ｃの内側から外側まで紫外線を照射して、当該ドア部４０Ａ〜４０Ｃの受取者が触れる部分のウイルスを殺菌する。このため、無人で商品の受け渡しを行い、かつ、受取者が触れる部分のウイルスを殺菌することができる。
【実施例２】
【００４７】
次に、図７を参照して、本発明の実施例２を説明する。図７は、本実施例の無人商品受け渡し装置を示す図であり、図７(A)は分解斜視図、図７(B)は商品受け渡し装置の横断面図であり、かつ棚板を示す平面図である。なお、上述した実施例１と同一ないし対応する構成要素には、同一の符号を用いることとする。上述した実施例１は、格納部が上下に３つ配置されたロッカータイプの商品受け渡し装置であったが、本実施例２は、格納部を上下に３段、横に２列、すなわち、６つの格納部を備えた商品受け渡し装置２００の例である。
【００４８】
商品受け渡し装置２００の基本的な構造は、上述した実施例１と同様であるが、本実施例では、商品格納部を横並びにも配置するために、筐体１２の内部を、仕切り板２０２によって左右に区画している。前記仕切り板２０２は、両面がミラー面となっている。
【００４９】
そして、第１の照射部３０〜３６は、図７(B)に示すように、照射面３０Ａ〜３０Ｄが格納部の中央を向くように、すなわち、仕切り板２０２の中央に向けて配置される。このような配置とすることにより、格納部の内部のみならず、格納部に設けられたドア部４０Ａ〜４０Ｆの外側まで紫外線を照射することができ、格納された商品５０のみならず、受取者が触れる部分のウイルスを殺菌することができる。
【００５０】
なお、上述した実施例は一例であり、同様の効果を奏する範囲内で適宜変更が可能である。
(1)前記実施例で示した商品受け渡し装置１０、２００はロッカータイプであるが、オフィス用のランチステーションボックスとしてもよく、格納部の数も必要に応じて増減してよい。
(2)前記実施例で示した認証部６０による認証方法も一例であり、例えば、認証部６０やスマートフォン１２０がクラウドと接続して認証するような態様であってもよい。
(3)前記実施例で示したミラー板を設ける部分も一例であり、必要に応じて適宜変更してよい。
【００５１】
(4)前記実施例では、第１の照射部３０〜３６により、格納された商品５０の臭いを消臭することとしたが、これも一例であり、格納部内に、備長炭、活性炭、ポリフェノールのような消臭機能を有する他の消臭部を設けるようにしてもよい。また、照射部の配置も一例であり、同様の効果を奏する範囲内で適宜変更してよい。
(5)前記認証部６０で認証した受取者のログ（例えば、日時、時間、どの店舗かなど）を記録する記録部を設けるようにしてもよい。
(6)前記実施例では、ＬＥＤで紫外線を照射することとしたが、これも一例であり、紫外線を照射することができるものであれば、ＬＥＤに限らず電球であってもよい。
(7)前記実施例で示した解錠の機構も一例であり、同様の効果を奏する範囲内で適宜設計変更可能である。
【産業上の利用可能性】
【００５２】
本発明によれば、注文された商品を格納する格納部と、前記格納した商品を取り出すために開閉するドア部と、前記格納部を紫外線で照射してウイルスを殺菌する第１の照射部と、前記格納した商品を受け取る受取者を認証する認証部と、前記認証したドア部だけを解錠して、前記商品の取り出しを可能にする解錠部と、を備え、前記ドア部は、紫外線を透過しやすい材質であり、前記第１の照射部は、前記ドア部の内側から外側まで紫外線を照射して、当該ドア部の前記受取者が触れる部分のウイルスを殺菌することとした。このため、無人で商品の受け渡しを行い、かつ、受取者が触れる部分のウイルスを殺菌することができるため、無人商品受け渡し装置の用途に適用できる。
【符号の説明】
【００５３】
１０、１０Ａ：無人商品受け渡し装置（商品受け渡し装置）
１２：筐体
１４Ａ〜１４Ｃ：格納部
１６Ａ〜１６Ｃ：棚板
１８、２０：側面
１８Ａ、２０Ａ：ミラー板
２２：背面
２６：上面
２８：天板
３０〜３６：照射部（第１の照射部）
３０Ａ〜３６Ａ：照射面
４０Ａ〜４０Ｆ：ドア部
４２Ａ〜４２Ｃ：解錠部
４４Ａ〜４４Ｃ：つまみ
４６Ａ〜４６Ｃ：ソレノイド
４７Ａ〜４７Ｃ：金具
４８：底部
５０：商品
６０、６０Ａ：認証部
６２：タブレット台
６４：背面
６６：開口部
６８Ａ、６８Ｂ：側面
７０：載置面
７２：立ち上がり部
７４：折り返し部
７６：マグネット
７８：開口部
８０：立ち上がり部
８２：折り返し部
８４：マグネット
９０：タブレット
９２：フレーム
９４：表示部
９６Ａ、９６Ｂ：スピーカ
９８Ａ、９８Ｂ、９８Ｃ：端子部
１００Ａ〜１００Ｄ：照射部（第２の照射部）
１０２：筐体正面下部
１０４：開口部
１１０：カバー部
１１２：開口部
１１４：凸状開口部
１１６：折り曲げ部
１２０：スマートフォン
１２２：表示部
１２４：ＱＲコード
２００：無人商品受け渡し装置（商品受け渡し装置）
２０２：仕切り板
【要約】
【課題】無人で商品の受け渡しを行い、かつ、受取者が触れる部分のウイルスを殺菌する装置を提供する。
【解決手段】無人商品受け渡し装置１０は、注文された商品５０を格納する格納部１４Ａ〜１４Ｃと、格納した商品を取り出すために開閉するドア部４０Ａ〜４０Ｃと、ドア部４０Ａ〜４０Ｃを内側から外側まで紫外線で照射してウイルスを殺菌する第１の照射部３０〜３６と、格納した商品５０を受け取る受取者を認証する認証部６０と、認証したドア部だけを解錠して、商品５０の取り出しを可能にする解錠部４２Ａ〜４２Ｃとを備える。ドア部４０Ａ〜４０Ｃは、紫外線を透過しやすい材質である。前記第１の照射部３０〜３６は、格納部１４Ａ〜１４Ｃの四隅に配置されており、格納部のみならず、ドア部の外側まで紫外線を照射し、受取者が触れる部分（例えば、つまみ４４Ａ〜４４Ｃ）のウイルスを殺菌する。
【選択図】図１【図１】
0006873304.tif 000002
【図２】
0006873304.tif 000003
【図３】
0006873304.tif 000004
【図４】
0006873304.tif 000005
【図５】
0006873304.tif 000006
【図６】
0006873304.tif 000007
【図７】
0006873304.tif 000008